【手続補正書】
【提出日】平成24年11月20日(2012.11.20)
【手続補正１】
【補正対象書類名】特許請求の範囲
【補正対象項目名】全文
【補正方法】変更
【補正の内容】
【特許請求の範囲】
【請求項１】
同じ色の記録材を吐出するための複数の記録素子によりそれぞれ形成される第１および第２の記録素子群と記録媒体との相対移動によって前記記録媒体の所定領域に記録を行って画像を形成するために、当該所定領域に形成する画像に対応する画像データを処理するための画像処理装置であって、
前記記録を行う際の記録モードに関する情報を取得する取得手段と、
前記画像データに基づいて、前記所定領域に記録を行うための階調値を有し、前記第１および第２の記録素子群にそれぞれ対応する第１および第２の濃度データを生成するための生成手段と、
前記第１および第２の濃度データそれぞれの階調値の段階数を低減させる低減手段と、を備え、
前記生成手段は、前記取得手段によって取得された情報が示す記録モードに応じて前記第１の濃度データの階調値と前記第２の濃度データの階調値との比が異なるように、前記第１の濃度データの階調値と前記第２の濃度データの階調値とを決定することを特徴とする画像処理装置。
【請求項２】
記録媒体と記録手段との複数回の相対移動によって記録媒体の所定領域に記録材を付与して記録を行うことで画像を形成するために、当該所定領域に形成する画像に対応する画像データを処理するための画像処理装置であって、
前記記録を行う際の記録モードに関する情報を取得する取得手段と、
前記画像データに基づいて、前記複数回の相対移動のそれぞれで前記所定領域に付与される同色の記録材の量に対応する階調値を有する複数の濃度データを、生成するための生成手段と、
前記複数の濃度データそれぞれの階調値の段階数を低減させる低減手段と、
を備え、
前記生成手段は、前記取得手段によって取得された情報が示す前記記録を行う際の記録モードに応じて前記複数回の相対移動のうちの少なくとも１回の移動に対応する第１の濃度データの階調値と前記複数回の相対移動のうちの他の少なくとも１回の移動に対応する第２の濃度データの階調値との比が異なるように、前記第１の濃度データの階調値と前記第２の濃度データの階調値とを決定することを特徴とする画像処理装置。
【請求項３】
前記記録モードは前記記録媒体の種類および前記相対移動の速度の少なくとも一つに応じて決定されることを特徴とする請求項１または２に記載の画像処理装置。
【請求項４】
前記生成手段は、前記相対移動の速度が所定の速度である記録モードにおける前記第１の濃度データの階調値と前記第２の濃度データの階調値との比よりも、前記相対移動の速度が前記所定の速度より小さい記録モードにおける前記比の方が、偏りが小さくなるように、前記第１の濃度データおよび前記第２の濃度データを生成することを特徴とする請求項３に記載の画像処理装置。
【請求項５】
前記記録モードは、前記相対移動の回数に応じて決定され、前記生成手段は、前記相対移動の回数が所定の回数である記録モードにおける前記第１の濃度データの階調値と前記第２の濃度データの階調値の比よりも、前記相対移動の回数が前記所定の回数より少ない記録モードにおける前記比の方が、偏りが小さくなるように、前記取得手段によって取得された情報が示す前記相対移動の回数に応じて、決定することを特徴とする請求項２に記載の画像処理装置。
【請求項６】
前記画像データは、ＲＧＢデータであることを特徴とする請求項１乃至５のいずれか１項に記載の画像処理装置。
【請求項７】
前記低減手段は誤差拡散処理により前記階調値の段階数を低減させることを特徴とする請求項１乃至６のいずれか１項に記載の画像処理装置。
【請求項８】
同じ色の記録材を吐出するための複数の記録素子によりそれぞれ形成される第１および第２の記録素子群と記録媒体との相対移動によって前記記録媒体の所定領域に記録を行って画像を形成するために、当該所定領域に形成する画像に対応する画像データを処理するための画像処理方法であって、
前記記録を行う際の記録モードに関する情報を取得する取得工程と、
前記画像データに基づいて、前記所定領域に記録を行うための階調値を有し、前記第１および第２の記録素子群にそれぞれ対応する第１および第２の濃度データを生成するための生成工程と、
前記第１および第２の濃度データそれぞれの階調値の段階数を低減させる低減工程と、を備え、
前記生成工程は、前記取得工程によって取得された情報が示す記録モードに応じて前記第１の濃度データの階調値と前記第２の濃度データの階調値との比が異なるように、前記第１の濃度データの階調値と前記第２の濃度データの階調値とを決定することを特徴とする画像処理方法。
【請求項９】
記録媒体と記録工程との複数回の相対移動によって記録媒体の所定領域に記録材を付与して記録を行うことで画像を形成するために、当該所定領域に形成する画像に対応する画像データを処理するための画像処理方法であって、
前記記録を行う際の記録モードを取得する取得工程と、
前記画像データに基づいて、前記複数回の相対移動のそれぞれで前記所定領域に付与される同色の記録材の量に対応する階調値を有する複数の濃度データを、生成するための生成工程と、
前記複数の濃度データそれぞれの階調値の段階数を低減させる低減工程と、
を有し、
前記生成工程は、前記取得工程によって取得された情報が示す前記記録を行う際の記録モードに応じて前記複数回の相対移動のうちの少なくとも１回の移動に対応する第１の濃度データの階調値と前記複数回の相対移動のうちの他の少なくとも１回の移動に対応する第２の濃度データの階調値との比が異なるように、前記第１の濃度データの階調値と前記第２の濃度データの階調値とを決定することを特徴とする画像処理方法。
【請求項１０】
前記記録モードは前記記録媒体の種類および前記相対移動の速度の少なくとも一つに応じて決定されることを特徴とする請求項８または９に記載の画像処理方法。
【請求項１１】
前記生成工程は、前記相対移動の速度が所定の速度である記録モードの場合の前記第１の濃度データの階調値と前記第２の濃度データの階調値との比よりも、前記相対移動の速度が前記所定の速度より小さい記録モードの場合の前記比の方が、偏りが小さくなるように、前記第１の濃度データおよび前記第２の濃度データを生成することを特徴とする請求項１０に記載の画像処理方法。
【請求項１２】
前記記録モードは、前記相対移動の回数に応じて決定され、前記生成工程では、前記相対移動の回数が所定の回数である記録モードにおける前記第１の濃度データの階調値と前記第２の濃度データの階調値の比よりも、前記相対移動の回数が前記所定の回数より少ない記録モードにおける前記比の方が、偏りが小さくなるように、前記取得工程によって取得された情報が示す前記相対移動の回数に応じて、決定することを特徴とする請求項９に記載の画像処理方法。
【請求項１３】
前記画像データは、ＲＧＢデータであることを特徴とする請求項８乃至１２のいずれか１項に記載の画像処理方法。
【請求項１４】
前記低減工程は誤差拡散処理により前記階調値の段階数を低減させることを特徴とする請求項８乃至１３のいずれか１項に記載の画像処理方法。
【請求項１５】
同じ色の記録材を吐出するための複数の記録素子によりそれぞれ形成される第１および第２の記録素子群と記録媒体との相対移動によって前記記録媒体の所定領域に記録を行って画像を形成するために、当該所定領域に形成する画像に対応する画像データを処理するための画像処理装置であって、
前記記録を行う際の記録モードに関する情報を取得する取得手段と、
前記画像データに基づいて、前記所定領域に記録を行うための階調値を有し、前記第１および第２の記録素子群にそれぞれ対応する第１および第２の濃度データを生成するための生成手段と、
前記第１および第２の濃度データそれぞれの階調値の段階数を、誤差拡散処理により低減させる低減手段と、
を備え、
前記低減手段は、前記第１の濃度データの誤差拡散処理に用いる閾値を前記第２の濃度データおよび前記取得手段によって取得された情報が示す前記記録モードに基づいて決定し、決定された閾値に基づいて前記第１の濃度画像データに誤差拡散処理を行うことを特徴とする画像処理装置。 
【請求項１６】
前記低減手段は、前記記録モードが前記相対移動の速度が所定の速度である記録モードであって、かつ、前記第２の濃度データが所定の階調値である場合の前記閾値が、前記記録モードが前記相対移動の速度が前記所定の速度より遅い記録モードであって、かつ、前記第２の濃度データの所定の階調値である場合の前記閾値より小さくなるように決定することを特徴とする請求項１５に記載の画像処理装置。
【手続補正２】
【補正対象書類名】明細書
【補正対象項目名】０００９
【補正方法】変更
【補正の内容】
【０００９】
上記課題を解決するための本発明は、同じ色の記録材を吐出するための複数の記録素子によりそれぞれ形成される第１および第２の記録素子群と記録媒体との相対移動によって前記記録媒体の所定領域に記録を行って画像を形成するために、当該所定領域に形成する画像に対応する画像データを処理するための画像処理装置であって、前記記録を行う際の記録モードに関する情報を取得する取得手段と、前記画像データに基づいて、前記所定領域に記録を行うための階調値を有し、前記第１および第２の記録素子群にそれぞれ対応する第１および第２の濃度データを生成するための生成手段と、前記第１および第２の濃度データそれぞれの階調値の段階数を低減させる低減手段と、を備え、前記生成手段は、前記取得手段によって取得された情報が示す記録モードに応じて、前記第１の濃度データの階調値と前記第２の濃度データの階調値との比が異なるように、前記第１の濃度データの階調値と前記第２の濃度データの階調値とを決定することを特徴とする。